(57)【要約】【課題】組立性を低下させることなく電動送風機の吸込側と整流空間との密着性を確保できる電気掃除機を提供する。【解決手段】区画リブ46の下側から整流空間45側へと突出した防止リブ51によって、整流空間45へのサポートゴム67の下部の変形による入り込みを防止する。電動送風機ユニット27を電動送風機室28に対して上方から取り付ける際に、作業者がサポートゴム67の変形に対して必要以上に注意することなく取り付け作業をすることが可能となる。組立性を低下させることなくサポートゴム67を区画リブ46の後端面46aへと確実に密着させて電動送風機66の吸込側と整流空間45との密着性を確保できる。【選択図】図１
2010172509.tif 000002
【特許請求の範囲】
【請求項１】
集塵室、この集塵室に連通する電動送風機室、および、これら集塵室と電動送風機室との間に位置してこの電動送風機室側に突出し整流用の整流空間を区画する区画リブを備えた本体ケースと、
電動送風機、および、前記区画リブに弾性的に圧接されることにより前記電動送風機の吸込側を前記整流空間に対して気密に接続する軟質のシール部材を備え、前記本体ケースの前記電動送風機室に対して上方から取り付けられる電動送風機ユニットとを具備し、
前記本体ケースは、前記区画リブの少なくとも下側から前記整流空間側へと突出して前記整流空間への前記シール部材の一部の入り込みを防止する防止部材を備えている
ことを特徴とした電気掃除機。
【請求項２】
防止部材は、電動送風機ユニットを電動送風機室に取り付ける際にシール部材を正規位置に導く傾斜面を上部に有している
ことを特徴とした請求項１記載の電気掃除機。
【請求項３】
防止部材は、電動送風機ユニットを電動送風機室に取り付ける際にシール部材と接触する位置に湾曲部を有している
ことを特徴とした請求項１または２記載の電気掃除機。
【請求項４】
整流空間内に配置され空気を電動送風機の吸込側へと整流する整流体を具備し、
防止部材は、前記整流体を支持可能である
ことを特徴とした請求項１ないし３いずれか一記載の電気掃除機。
【請求項５】
整流体の電動送風機ユニット側は、防止部材の電動送風機ユニット側よりも集塵室側に位置している
ことを特徴とした請求項４記載の電気掃除機。
【発明の詳細な説明】
【技術分野】
【０００１】
本発明は、整流用の整流空間を区画する区画リブに弾性的に圧接されることにより電動送風機の吸込側を整流空間に対して気密に接続するシール部材を備えた電気掃除機に関する。
【背景技術】
【０００２】
従来、この種の電気掃除機は、集塵室である本体集塵室と電動送風機室とが互いに連通して前後に区画された本体ケースを備えている。この本体ケースには、本体集塵室と電動送風機室との間の位置に、整流用の整流空間を区画する区画リブが形成されており、この区画リブは、電動送風機室側に突出している。また、電動送風機室には、軟質のシール部材である略円筒状のサポートゴムを電動送風機の吸込側の周囲に取り付けた電動送風機ユニットが上方から挿入されて取り付けられる。この電動送風機ユニットは、サポートゴムを区画リブに弾性的に圧接させることにより、電動送風機の吸込側が本体集塵室と気密に接続されるとともに、電動送風機室に弾性的に支持される(例えば、特許文献１および２参照。)。
【先行技術文献】
【特許文献】
【０００３】
【特許文献１】特開２００５−３３４１５８号公報(第４頁、図５)
【特許文献２】特開２００５−１９２７４６号公報(第４−５頁、図１)
【発明の概要】
【発明が解決しようとする課題】
【０００４】
サポートゴムと区画リブとの密着性は、電気掃除機の吸引力(吸込仕事率)に影響を与えるだけでなく、電動送風機の駆動に伴う振動や音の外部への漏れに影響を与える。したがって、サポートゴムと区画リブとは、可能な限り密着性を向上させることが好ましい。
【０００５】
しかしながら、このように密着性を確保するために、サポートゴムを区画リブに対して摺動させながら電動送風機ユニットを上方から電動送風機室に取り付けると、サポートゴムの下側の部分が区画リブとの接触によって捲れ、整流空間内に入り込んでしまい、サポートゴムと区画リブとの密着性が損なわれるおそれがある。
【０００６】
しかも、このようなサポートゴムの捲れは、電動送風機ユニットの下部に隠れる位置となっているため、電動送風機ユニットの取り付け作業時には気付きにくく、吸込仕事率の性能検査を行うまで不具合を確認することが容易でない。
【０００７】
この点、電動送風機室を電動送風機ユニットに対して広く区画し、電動送風機ユニットを一旦電動送風機室に載置した後、電動送風機の吸込側を区画リブ側へと移動させてサポートゴムを区画リブへと密着させることも考えられるものの、このような構成の場合、本体ケースが大型化してしまうだけでなく、サポートゴムを区画リブに弾性的に圧接した状態のまま電動送風機ユニットを電動送風機室に固定するための部材などが別途必要となって部品点数が増加するなど、製造性の面からも好ましくない。
【０００８】
本発明は、このような点に鑑みなされたもので、組立性を低下させることなく電動送風機の吸込側と整流空間との密着性を確保できる電気掃除機を提供することを目的とする。
【課題を解決するための手段】
【０００９】
本発明は、集塵室と電動送風機室との間に位置してこの電動送風機室側に突出し整流用の整流空間を区画する区画リブを備えた本体ケースと、電動送風機、および、区画リブに弾性的に圧接されることにより電動送風機の吸込側を整流空間に対して気密に接続する軟質のシール部材を備え、本体ケースの電動送風機室に対して上方から取り付けられる電動送風機ユニットとを具備し、本体ケースが、区画リブの少なくとも下側から整流空間側へと突出して整流空間へのシール部材の一部の入り込みを防止する防止部材を備えているものである。
【発明の効果】
【００１０】
本発明によれば、区画リブの少なくとも下側から整流空間側へと突出した防止部材によって、整流空間へのシール部材の一部の入り込みを防止することにより、電動送風機ユニットを電動送風機室に対して上方から取り付ける際に、作業者がシール部材の変形に対して必要以上に注意することなく取り付け作業をすることが可能となり、組立性を低下させることなくシール部材を区画リブへと確実に密着させて電動送風機の吸込側と整流空間との密着性を確保できる。
【図面の簡単な説明】
【００１１】
【図１】本発明の第１の実施の形態の電気掃除機の要部を示す拡大縦断面図である。
【図２】同上電気掃除機の本体ケースの一部を示す斜視図である。
【図３】同上電気掃除機の掃除機本体の中央断面図である。
【図４】同上掃除機本体の蓋体を開いた状態を示す斜視図である。
【図５】同上電気掃除機を示す斜視図である。
【図６】本発明の第２の実施の形態の電気掃除機の要部を示す拡大縦断面図である。
【図７】本発明の第３の実施の形態の電気掃除機の要部を示す拡大縦断面図である。
【図８】同上電気掃除機の要部を示す拡大斜視図である。
【図９】本発明の第４の実施の形態の電気掃除機の要部を示す拡大縦断面図である。
【図１０】本発明の第５の実施の形態の電気掃除機の要部を示す拡大縦断面図である。
【発明を実施するための形態】
【００１２】
以下、本発明の第１の実施の形態の構成を図１ないし図５を参照して説明する。
【００１３】
図５において、11はいわゆるキャニスタ型の電気掃除機を示し、この電気掃除機11は、管部12と、この管部12が着脱可能に接続される掃除機本体13とを有している。
【００１４】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１５】
手元操作部17には、把持部21がホース体16側へと突出し、この把持部21には、操作用の設定ボタン22が複数設けられている。
【００１６】
また、掃除機本体13は、図２ないし図４に示すように、本体ケース25を備え、この本体ケース25の内部には、電動送風機ユニット27が上方から取り付けられる電動送風機室28、および、図示しない電源コードを出し入れ可能に巻回した図示しないコードリールを収容するコードリール室がそれぞれ後部に区画されているとともに、集塵室である本体集塵室29が前部に区画され、この本体集塵室29に、紙パックなどの図示しない集塵袋が着脱可能に配置されている。
【００１７】
本体ケース25は、例えば合成樹脂などにより形成され、上側が開口した下ケース31と、この下ケース31の上側後部である電動送風機室およびコードリール室を覆う上ケース32とを備えている。
【００１８】
下ケース31の後部両側方には、電動送風機室28の両側に臨んで掃除機本体13の走行用の大径の走行輪35(一方のみ図示)が回転自在に軸支されている。また、下ケース31の前側すなわち本体集塵室29の下部には、旋回輪36が旋回可能に取り付けられている。さらに、下ケース31の前部には、図５に示すホース体16(接続管部15)の基端側が着脱可能に接続される本体吸込口37が本体集塵室29に連通して設けられている。また、下ケース31の前後方向の略中心域には、電動送風機室28およびコードリール室と本体集塵室29とを区画する隔壁38が左右幅方向に沿って形成されている。さらに、下ケース31の後部寄りの位置には、電動送風機室28の後部を区画する後部下側隔壁である後部隔壁39が形成されている。
【００１９】
隔壁38は、左右幅方向に沿って壁状に形成されており、この隔壁38の左右幅方向の一側に偏った位置には、電動送風機室28と本体集塵室29とを連通する略円形状の連通口43が開口形成されている。また、この隔壁38には、連通口43を覆ってウレタンフィルタなどのフィルタ部材44が取り付けられている。さらに、隔壁38の連通口43の後部(電動送風機室28)の外縁部には、電動送風機室28と本体集塵室29との間に連通口43に連通する整流空間45を区画する略円筒状のシールリブとしての区画リブ46が後方(電動送風機室28側)へと突出して一体に形成されている。そして、区画リブ46の内部には、連通口43全体に格子状の仕切り部である格子リブ47が一体に形成されている。
【００２０】
整流空間45は、本体集塵室29を通過した吸込風(空気)を電動送風機ユニット27の吸込側(上流側)へと整流するための空間であり、区画リブ46の内部に形成されている。
【００２１】
区画リブ46は、図１に示すように、後端面46aが電動送風機ユニット27の前面に圧接される圧接面となっている。また、この区画リブ46の下部には、下ケース31に亘って、電動送風機ユニット27の下部を支持する下部支持部材としての支持リブ48が複数形成されている。
【００２２】
各支持リブ48は、前後方向に沿ってそれぞれ長手状に形成されており、左右幅方向に互いに離間されて配置されている。また、各支持リブ48の上部には、区画リブ46の後端面46aから後方へと湾曲状に高さが低くなり、かつ、後方へと略水平状に延出する支持面48aが形成されている。これら支持面48aは、電動送風機ユニット27の下部に接触する接触面である。
【００２３】
また、格子リブ47は、左右幅方向に沿って水平状に形成された複数の横リブ47aと、上下方向に沿って垂直状に形成された複数の縦リブ47bとを備えている。そして、左右幅方向に一つ置きに位置する縦リブ47bの下端部には、区画リブ46の内周面すなわち整流空間45側に一体に、防止部材としての防止リブ51がそれぞれ形成されている。
【００２４】
各防止リブ51は、区画リブ46から上方へと突出して前後方向に沿って形成されており、後端部が区画リブ46の後端面46aと略面一となっている。また、各防止リブ51は、略水平状に形成された上面51aと、この上面51aから後方へと下方に向けて傾斜したガイド面である傾斜面51bとを備えている。
【００２５】
各傾斜面51bは、区画リブ46の前後方向(軸方向)の中心位置よりも後側(電動送風機室28)寄りの位置から、各防止リブ51の後端部に亘って形成されている。
【００２６】
後部隔壁39は、左右幅方向に沿って壁状に形成されており、隔壁38よりも上下方向の突出寸法が小さく、電動送風機ユニット27の後部である排気側の下側の部分に接触して電動送風機ユニット27の前部を区画リブ46の後端面46aに対して圧接するように後方から支持している。また、この後部隔壁39の上部には、電動送風機ユニット27の後部を支持するための支持孔部としての下部切欠部である切欠部39aが円弧状に切り欠き形成されている。
【００２７】
また、図３に示すように、上ケース32は、前端部が隔壁38に接続されるように下ケース31の上側にねじ止めされ、電動送風機室28とコードリール室とを下ケース31との間に区画している。また、この上ケース32には、蓋体としての本体蓋54が回動可能に軸支されて本体集塵室29を開閉可能としている。さらに、この上ケース32の上部の左右幅方向の略中央部には、平面視で円形状の被取付部としての空間形成部である取付凹部55が形成され、この取付凹部55には、作業者が把持して掃除機本体13を持ち上げるためのハンドル56が取り付けられている。そして、この上ケース32には、取付凹部55の一側方に、電源コードの巻取用の巻き取りボタン57が配置されている。また、この上ケース32の後部寄りの下部には、後部上側隔壁58が下方に向けて突出して形成され、この後部上側隔壁58の前部には、上部隔壁59が略水平方向に沿って突出して形成されている。
【００２８】
本体蓋54は、閉じた状態で、本体集塵室29の上端縁部に沿って取り付けられたパッキン61に圧接されることにより、本体集塵室29の上部を気密に閉塞するように構成されている。
【００２９】
後部上側隔壁58は、左右幅方向に沿って壁状に形成されており、電動送風機ユニット27の後部である排気側の上側の部分に接触して電動送風機ユニット27の前部を区画リブ46の後端面46aに対して圧接するように後方から支持している。すなわち、この後部上側隔壁58は、上ケース32を下ケース31の上部に取り付けた状態で、後部隔壁39の上方に密着されている。また、この後部上側隔壁58には、後部隔壁39の切欠部39aと対向して、略円形状の孔部63（図２）を区画する図示しない円弧状の上部切欠部が切り欠き形成されており、孔部63（図２）には、電動送風機ユニット27の後部を弾性的に支持する後部支持部材としての後部サポートゴム64が嵌合されて上下方向から挟持されている。
【００３０】
上部隔壁59は、電動送風機室28の上部を区画する部分であり、前側寄りの下部に、複数の電動送風機固定部59a(一つのみ図示)が下方に向けて突出して形成されている。
【００３１】
そして、電動送風機ユニット27は、図３に示すように、電動送風機66と、この電動送風機66の吸込側である前端側に取り付けられる円筒状のシール部材としての支持部材であるサポートゴム67とを備えている。
【００３２】
電動送風機66は、電源コードを介して電源から給電され、本体ケース25内の上部隔壁59の上部に配置された制御手段である制御回路69により、設定ボタン22で設定された所定の動作モードで動作されて管部12を介して空気とともに塵埃を吸い込むもので、前側を吸込側、後側を排気側として電動送風機室28内に配置されている。また、この電動送風機66は、モータ部などを収容する略円筒状の本体部71と、モータ部により回転される遠心ファンおよびこの遠心ファンから吹き出される空気を整流する整流板を覆って本体部71の前部に嵌着された有蓋円筒状のファンカバー72とを有している。
【００３３】
本体部71は、ファンカバー72よりも径寸法が小さく形成されており、後端部に同心状に形成されて後方へと突出する円筒状の図示しないモータヘッド部の外部が後部サポートゴム64により保持されている。また、本体部71の後端寄りの外周面には、図示しない排気口が開口形成されている。
【００３４】
ファンカバー72は、本体部71の前部に対して着脱可能に取り付けられている。また、このファンカバー72の前端部の中心部には、図１に示すように、円形状の吸込口74が開口形成されている。この吸込口は、遠心ファンを介して本体部71の内部へと連通している。
【００３５】
また、サポートゴム67は、電動送風機66に駆動に伴う振動を吸収する防振部材であるとともに、電動送風機66の吸込側と整流空間45とを気密に接続する気密部材であり、軟質でかつ弾性を有する部材により略有蓋円筒状に形成されており、ファンカバー72の外周および前面に亘って密着して取り付けられている。さらに、このサポートゴム67の前端部の中心部には、吸込口74に同軸状に連通する防止部材吸込口である円形状のゴム吸込口76が開口形成されている。そして、このサポートゴム67は、防止部材当接面である前面67aが区画リブ46の後端面46aに圧接されて弾性変形することで、整流空間45とゴム吸込口76および吸込口74とを気密に接続するように構成されている。また、このサポートゴム67は、下部が支持リブ48の支持面48aにより支持されているとともに、上部が電動送風機固定部59aにより上側から押さえつけられている。換言すれば、電動送風機ユニット27(サポートゴム67)は、上ケース32(上部隔壁59および後部上側隔壁58)と下ケース31(支持リブ48および後部隔壁39)とにより、上下から挟持されている。
【００３６】
次に、上記第１の実施の形態の作用を説明する。
【００３７】
掃除機本体13の組み立ての際には、予め成形されコードリールなどの各種部品を取り付けた下ケース31上に対して、サポートゴム67を電動送風機66のファンカバー72に取り付け後部サポートゴム64を本体部71に取り付けた電動送風機ユニット27を、上方から挿入する。
【００３８】
このとき、電動送風機ユニット27は、サポートゴム67の前面67aを区画リブ46の後端面46aに対して上下方向に摺接させながら取り付け、後部サポートゴム64を後部隔壁39の切欠部39aに嵌合させる。サポートゴム67の下部は、前面67aを区画リブ46の後端面46aに対して摺接させた際に、摩擦抵抗によって変形して電動送風機66から外れ、整流空間45側(前側)へと捲り上がろうとするが、この捲り上がろうとする部分が各防止リブ51の上面51aおよび傾斜面51bに当接することにより、この捲り上がろうとする部分が防止リブ51に対して滑ってサポートゴム67の整流空間45内への入り込みが防止(阻止)され、サポートゴム67が略変形することなく正規位置へと導かれる。
【００３９】
この結果、サポートゴム67の前面67aが区画リブ46の後端面46aに対して弾性的に圧接され、整流空間45と各吸込口74，76とが気密に接続される。
【００４０】
この状態で、制御回路69などを取り付けた上ケース32を下ケース31の上方から被せてねじ止めすることにより、電動送風機固定部59aによってサポートゴム67の上部を下ケース31側へと押さえつけるとともに、後部上側隔壁58の上部切欠部により後部サポートゴム64を切欠部39aとの間に挟持する。
【００４１】
この後、上ケース32に対して本体蓋54を回動可能に取り付けて掃除機本体13を完成させる。
【００４２】
掃除の際には、作業者が把持部21を把持し、所望の設定ボタン22を操作することにより、制御回路69が電動送風機66を対応する動作モードで動作させる。
【００４３】
このとき、電動送風機66のモータ部により遠心ファンが回転されることで負圧が発生し、この負圧が吸込口74およびゴム吸込口76を介して整流空間45、本体集塵室29(集塵袋)、本体吸込口37および管部12に作用することで、管部12の先端側(床ブラシ19)から空気とともに塵埃が吸い込まれる。
【００４４】
作業者は、床ブラシ19を床面上に載置して前後に走行させることなどにより、床面上などの塵埃を吸い込む。
【００４５】
この吸い込まれた塵埃を含む空気は、吸込風となり、床ブラシ19から延長管18、ホース体16、本体吸込口37を介して集塵袋へと吸い込まれ、この集塵袋を通過する際に、含まれる塵埃が捕集される。
【００４６】
この塵埃が捕集された吸込風は、フィルタ部材44によりさらに微細な塵埃が捕集された後、連通口43を介して整流空間45へと流入し、この整流空間45で整流されつつ各吸込口76，74を介して電動送風機66内へと吸い込まれる。
【００４７】
そして、この吸い込んだ吸込風は、遠心ファンの中央部に吸い込まれた後、この遠心ファンの周囲へと吹き出され、整流板により整流されつつ本体部71内へと流入し、この本体部71内のモータ部を冷却して排気口から排気される排気風となって、電動送風機室28およびコードリール室から本体ケース25の外部へと排気孔を介して排気される。
【００４８】
上述したように、上記第１の実施の形態によれば、区画リブ46の下側から整流空間45側へと突出した防止リブ51によって、整流空間45へのサポートゴム67の下部の変形、すなわち潰れ、あるいは捲れによる入り込みを防止することにより、電動送風機ユニット27を電動送風機室28に対して上方から取り付ける際に、作業者がサポートゴム67の変形に対して必要以上に注意することなく取り付け作業をすることが可能となり、組立性を低下させることなくサポートゴム67を区画リブ46の後端面46aへと確実に密着させて電動送風機66の吸込側と整流空間45との密着性を確保できる。
【００４９】
特に、従来、サポートゴムが取り付け作業時に整流空間側へと入り込むように変形した場合、この変形部分が電動送風機ユニットの下部に隠れるように位置しているため、取り付け作業時には作業者が目視で確認することが容易でなく、吸引力(吸込仕事率)の検査をしなければ電動送風機ユニットが正しく取り付けられているかどうか判定が容易でない。また、取り付けに不具合が発生した場合には、一旦組み立てた掃除機本体を再度分解して取り付け直さなければならず、非効率的である。これに対して、上記実施の形態では、各防止リブ51によってサポートゴム67が整流空間45内へと入り込まないように構成しているので、電動送風機ユニット27の取り付け状態の確認、あるいは、掃除機本体13の組み立て後の再分解などの工程が低減され、生産性の低下を抑制できる。
【００５０】
すなわち、電動送風機ユニット27の取り付け作業時には、作業者が最低限の注意を払うだけで、取り付けの不具合の発生に伴う分解から最取り付けまでの後戻り工程を大幅に低減できる。
【００５１】
そして、電動送風機66の吸込側と整流空間45との密着性を確保できるので、吸引力(吸込仕事率)を確保できる。
【００５２】
また、電動送風機室28を電動送風機ユニット27に対して広く区画して、電動送風機ユニット27を一旦電動送風機室28に載置した後、電動送風機66の吸込側を区画リブ46側へと移動させてサポートゴム67を区画リブ46へと密着させるように構成する必要もないので、本体ケース25が大型化したり、電動送風機ユニット27の取り付け作業が煩雑になったり、あるいは、サポートゴム67を区画リブ46に弾性的に圧接した状態のまま電動送風機ユニット27を電動送風機室28に固定するための部材などが別途必要となって部品点数が増加したりすることもなく、製造性が低下することがない。
【００５３】
次に、第２の実施の形態を図６を参照して説明する。なお、上記第１の実施の形態と同様の構成および作用については、同一符号を付してその説明を省略する。
【００５４】
この第２の実施の形態は、上記第１の実施の形態において、各防止リブ51の上側が、上面51aを有さず、傾斜面51bのみを有するものである。
【００５５】
すなわち、各防止リブ51は、区画リブ46の前端から後端に亘って、後方に向けて下方へと傾斜した傾斜面51bを上部に有している。
【００５６】
この結果、電動送風機ユニット27を下ケース31に取り付ける際のサポートゴム67の滑りが傾斜面51bより滑らかになって、この傾斜面51bによりサポートゴム67が正規位置へと、より確実に導かれて、サポートゴム67の変形をより効果的に抑制でき、組立性をより向上できる。
【００５７】
次に、第３の実施の形態を図７および図８を参照して説明する。なお、上記各実施の形態と同様の構成および作用については、同一符号を付してその説明を省略する。
【００５８】
この第３の実施の形態は、上記第１の実施の形態において、各防止リブ51が、上面51aと傾斜面51bとの連続部が、円弧状に湾曲したいわゆるアール形状である湾曲部としての湾曲面51cとなっているとともに、各防止リブ51の上面51a、湾曲面51cおよび傾斜面51bの断面が円弧状に湾曲した湾曲部78となっているものである。
【００５９】
すなわち、湾曲面51cは、上面51aから傾斜面51b側へと下方に湾曲しており、この湾曲面51cにより、各防止リブ51の上部に角部が形成されていない。また、湾曲部78により、各防止リブ51の両側に角部が形成されていない。
【００６０】
このため、電動送風機ユニット27を下ケース31に取り付ける際に、サポートゴム67が湾曲面51cおよび湾曲部78に接触するので、このサポートゴム67の滑りが傾斜面51bより滑らかになり、サポートゴム67の変形をより効果的に抑制でき、組立性をより向上できる。
【００６１】
しかも、各防止リブ51に角部が形成されていないので、これら防止リブ51に接触したサポートゴム67がより傷つきにくく、隙間などが生じにくくなり、気密性をより確実に得ることができる。
【００６２】
なお、上記第３の実施の形態において、上記第２の実施の形態の各防止リブ51に対して傾斜面51bの断面を円弧状に湾曲させて湾曲部78を形成してもよい。
【００６３】
次に、第４の実施の形態を図９を参照して説明する。なお、上記各実施の形態と同様の構成および作用については、同一符号を付してその説明を省略する。
【００６４】
この第４の実施の形態は、上記第１の実施の形態において、区画リブ46の内部に、整流体であるインデューサ81が取り付けられているものである。
【００６５】
インデューサ81は、このインデューサ81の外郭をなす略円筒状の外枠部81aと、この外枠部81aの中央部に連続する整流体本体である略球面状のインデューサ本体81bとを有している。また、このインデューサ81は、前後方向(軸方向)の寸法が区画リブ46の前後方向(軸方向)の寸法と略等しく設定されている。このため、インデューサ81の前端部および後端部は、それぞれ区画リブ46の前端部および後端部(後端面46a)と略面一となっている。
【００６６】
外枠部81aは、各防止リブ51の上面51aと、区画リブ46の内周面の上側にて縦リブ47bの上部に一体に形成された整流体支持部である複数の支持リブ83(一つのみ図示)の整流体支持面である各下面83aとにより、上下で支持されている。
【００６７】
各支持リブ83は、区画リブ46から下方に向けて突出し、防止リブ51と同様に、前後方向に沿って形成されている。
【００６８】
インデューサ本体81bは、外枠部81aの前端部から中心軸方向へと延出した連続部81cにより外枠部81aと一体に連続し、後端側へと、徐々に縮径されるように円弧面状に形成されている。また、このインデューサ本体81bの後端部は、外枠部81aの後端部と略面一な位置となっており、この後端部の中心部に、電動送風機ユニット27の各吸込口74，76に連通する円形状の連通開口81dが開口形成されている。
【００６９】
そして、インデューサ81は、電動送風機ユニット27を取り付ける前に整流空間45内に取り付けられ、前端部が格子リブ47の後部と略面一となっているとともに、後端部が区画リブ46の後端部(後端面46a)と略面一となっている。
【００７０】
電動送風機66の駆動により発生した負圧によって吸い込んだ吸込風は、連通口43を通過した後、インデューサ81のインデューサ本体81bによって電動送風機ユニット27の各吸込口74，76へと整流されつつ吸い込まれるので、吸引力(吸込仕事率)が向上する。
【００７１】
このように、電気掃除機11では、機種毎の仕様の相違として、吸引力(吸込仕事率)の相違を持たせる際に、この吸引力(吸込仕事率)を向上させる手段としてインデューサ81を用いることがあるが、この実施の形態では、別部材で設けたインデューサ81を各防止リブ51により支持可能とすることで、インデューサ81を支持するための構成などを別途要することなく、このインデューサ81を取り付ける電気掃除機11の構成にも対応することが可能となる。
【００７２】
すなわち、インデューサ81を取り付ける機種と、取り付けない機種とに、共通の構成で対応することが可能となり、製造性が向上する。
【００７３】
また、整流空間45内にインデューサ81を取り付けているため、電動送風機ユニット27を取り付ける際に、サポートゴム67が整流空間45内に入り込むことが防止される。
【００７４】
次に、第５の実施の形態を図１０を参照して説明する。なお、上記各実施の形態と同様の構成および作用については、同一符号を付してその説明を省略する。
【００７５】
この第５の実施の形態は、上記第４の実施の形態において、インデューサ81の電動送風機ユニット27側の端面よりも各防止リブ51の後端部を後方へと突出させるものである。換言すれば、インデューサ81は、区画リブ46よりも前後方向(軸方向)の寸法が小さく設定されているものである。
【００７６】
すなわち、インデューサ81の外枠部81aとインデューサ本体81bとは、それぞれの前端部が格子リブ47の後部と略面一となっている一方で、それぞれの後端部が、区画リブ46の後端部(後端面46a)に対して前方、例えば各防止リブ51の上面51a上に位置している。換言すれば、各防止リブ51の傾斜面51bは、インデューサ81に対して後方に露出している。したがって、連通開口81dは、電動送風機ユニット27の各吸込口74，76に対して対向して離間されている。
【００７７】
そして、インデューサ81の電動送風機ユニット27側である後端部を、防止リブ51の後端側よりも本体集塵室29側、すなわち前側に位置させることにより、上記第４の実施の形態と同様の作用効果を奏することができるとともに、各防止リブ51の傾斜面51bが後方に露出するので、電動送風機ユニット27の取り付けの際に、各傾斜面51bがサポートゴム67の整流空間45への入り込みを確実に防止できる。
【００７８】
なお、上記第４の実施の形態および第５の実施の形態において、区画リブ46の内部の両側部などに、インデューサ81の外枠部81aを支持するように支持リブ83をそれぞれ設けてもよい。
【００７９】
また、上記各実施の形態において、防止リブ51は、少なくとも一つ設ければよく、その形状も、上記各実施の形態の形状に限定されない。
【００８０】
さらに、本体集塵室29には、集塵袋に代えて、例えばサイクロン式の集塵カップなどの集塵装置を取り付けてもよい。
【００８１】
そして、電気掃除機11は、例えばコードリールに代えて、二次電池を電源として有する構成としてもよい。
【符号の説明】
【００８２】
11    電気掃除機
25    本体ケース
27    電動送風機ユニット
28    電動送風機室
29    集塵室である本体集塵室
45    整流空間
46    区画リブ
51    防止部材としての防止リブ
51b   傾斜面
51c   湾曲部としての湾曲面
66    電動送風機
67    シール部材としてのサポートゴム
78    湾曲部
81    整流体であるインデューサ
【図１】
2010172509.tif 000003
【図２】
2010172509.tif 000004
【図３】
2010172509.tif 000005
【図４】
2010172509.tif 000006
【図５】
2010172509.tif 000007
【図６】
2010172509.tif 000008
【図７】
2010172509.tif 000009
【図８】
2010172509.tif 000010
【図９】
2010172509.tif 000011
【図１０】
2010172509.tif 000012